(57)【特許請求の範囲】
【請求項１】
互いに組み付けられる一方のケース及び他方のケースの合わせ部を防水するために、前記一方のケースの縁が挿入される前記他方のケースの溝に装着されるパッキンにおいて、
前記溝の開口側に位置付けられる第１の面に、前記一方のケースの縁が圧入可能なスリットが設けられ、
前記溝の底面側に位置付けられる第２の面が、弾性変形していない状態で、前記第１の面に対して傾斜しており、かつ、
前記第２の面が前記溝の底面に押し当てられることにより、前記スリットによって分断された部分同士が互いにずれて前記第１の面に段差が生じ、これら互いにずれた部分同士の間に前記一方のケースの縁が圧入可能である
ことを特徴とするパッキン。
【請求項２】
全体として環状に形成され、
前記第１の面が、弾性変形していない状態で、前記環状の仮想中心軸と直交しており、
前記第２の面が、弾性変形していない状態で、前記環状の内側から外側に向かうにしたがって前記第１の面に近付く方向、または、前記環状の外側から内側に向かうにしたがって前記第１の面に近付く方向に傾斜している
ことを特徴とする請求項１に記載のパッキン。
【請求項３】
互いに組み付けられる一方のケース及び他方のケースと、前記一方のケース及び前記他方のケースの合わせ部を防水するために、前記一方のケースの縁が挿入される前記他方のケースの溝に装着されるパッキンと、が設けられた防水ケースにおいて、
前記パッキンとして、請求項１または請求項２に記載のパッキンが設けられている
ことを特徴とする防水ケース。
【発明の詳細な説明】
【技術分野】
【０００１】
本発明は、ケースの防水に用いられるパッキン、及び、前記パッキンを用いた防水ケースに関するものである。
【背景技術】
【０００２】
自動車には多種多様な電子機器が搭載されている。これら多種多様な電子機器に電力供給及び信号伝達を行うために、前記自動車には、適宜箇所に電気接続箱が配置されている。なお、本明細書では、ジャンクションブロック（ジャンクションボックス）、ヒューズブロック（ヒューズボックス）、リレーブロック（リレーボックス）等を、総称して電気接続箱と呼ぶ。
【０００３】
この電気接続箱は、車種によりいろいろなものが用いられているが、例えば、図９及び図１０に示す防水ケース（例えば特許文献１を参照。）を用いたものがある。同図に示す防水ケース２０１には、互いに組み付けられるケース２０３，２０４と、これらケース２０３，２０４の合わせ部２０７を防水するためのパッキン２０６と、が設けられている。
【０００４】
上記パッキン２０６は、ゴム、ポリウレタン等の弾性体により構成されており、ケース２０３の縁２３１ａが挿入されるケース２０４の溝２４４に装着される。また、前記溝２４４は、ケース２０４の周壁２４２と、この周壁２４２の外表面から延設された第２の周壁２４３と、により構成されている。
【０００５】
上記防水ケース２０１は、図１０に示すように、ケース２０３とケース２０４とが組み付けられる際、ケース２０３の縁２３１ａがケース２０４の溝２４４に装着されたパッキン２０６にめり込むことにより、ケース２０３，２０４の合わせ部２０７が防水される。
【先行技術文献】
【特許文献】
【０００６】
【特許文献１】実開平１−５８９８３号公報
【発明の概要】
【発明が解決しようとする課題】
【０００７】
しかしながら、前述した防水ケース２０１においては、ケース２０３の縁２３１ａがパッキン２０６の平らな表面にめり込むことにより該パッキン２０６に生じる、縁２３１ａをケース２０４から離れる側に押し戻そうとする反発力（図１０中に矢印で示す。）が高いので、ケース２０３，２０４の組み付け作業が困難であるという問題があった。また、前述した防水ケース２０１においては、ケース２０３の縁２３１ａとパッキン２０６との接触面積が小さいので、ケース２０３，２０４の合わせ部２０７の防水性が十分高いとは言えないという問題があった。
【０００８】
したがって、本発明は、互いに組み付けられる一方のケース及び他方のケースの合わせ部の防水性を向上させつつ、前記一方のケース及び前記他方のケースの組み付け作業を容易にすることができるパッキン、及び、前記パッキンを用いた防水ケースを提供することを目的とする。
【課題を解決するための手段】
【０００９】
上記目的を達成するために請求項１に記載された発明は、互いに組み付けられる一方のケース及び他方のケースの合わせ部を防水するために、前記一方のケースの縁が挿入される前記他方のケースの溝に装着されるパッキンにおいて、前記溝の開口側に位置付けられる第１の面に、前記一方のケースの縁が圧入可能なスリットが設けられ、前記溝の底面側に位置付けられる第２の面が、弾性変形していない状態で、前記第１の面に対して傾斜しており、かつ、前記第２の面が前記溝の底面に押し当てられることにより、前記スリットによって分断された部分同士が互いにずれて前記第１の面に段差が生じ、これら互いにずれた部分同士の間に前記一方のケースの縁が圧入可能であることを特徴とするパッキンである。
【００１０】
請求項２に記載された発明は、請求項１に記載された発明において、全体として環状に形成され、前記第１の面が、弾性変形していない状態で、前記環状の仮想中心軸と直交しており、前記第２の面が、弾性変形していない状態で、前記環状の内側から外側に向かうにしたがって前記第１の面に近付く方向、または、前記環状の外側から内側に向かうにしたがって前記第１の面に近付く方向に傾斜していることを特徴とするものである。
【００１１】
上記目的を達成するために請求項３に記載された発明は、互いに組み付けられる一方のケース及び他方のケースと、前記一方のケース及び前記他方のケースの合わせ部を防水するために、前記一方のケースの縁が挿入される前記他方のケースの溝に装着されるパッキンと、が設けられた防水ケースにおいて、前記パッキンとして、請求項１または請求項２に記載のパッキンが設けられていることを特徴とする防水ケースである。
【発明の効果】
【００１２】
請求項１に記載された発明によれば、前記溝の開口側に位置付けられる第１の面に、前記一方のケースの縁が圧入可能なスリットが設けられているので、前記縁が密着することによりパッキンに生じる前記縁を他方のケースから離れる側に押し戻そうとする反発力を、スリットが設けられていない従来のパッキンに比べて小さくすることができる。また、前記溝の底面側に位置付けられる第２の面が、弾性変形していない状態で、前記第１の面に対して傾斜しており、かつ、前記第２の面が前記溝の底面に押し当てられることにより、前記スリットによって分断された部分同士が互いにずれて前記第１の面に段差が生じ、これら互いにずれた部分同士の間に前記一方のケースの縁が圧入可能であるので、パッキンの前記縁に密着する接触面積を、スリットによって分断された部分同士をずらさない場合、及び、スリットが設けられていない従来のパッキンに比べて増加させることができる。よって、互いに組み付けられる一方のケース及び他方のケースの合わせ部の防水性を向上させつつ、前記一方のケース及び前記他方のケースの組み付け作業を容易にすることができるパッキンを提供することができる。
【００１３】
請求項２に記載された発明によれば、全体として環状に形成され、前記第１の面が、弾性変形していない状態で、前記環状の仮想中心軸と直交しており、前記第２の面が、弾性変形していない状態で、前記環状の内側から外側に向かうにしたがって前記第１の面に近付く方向、または、前記環状の外側から内側に向かうにしたがって前記第１の面に近付く方向に傾斜しているので、前記第２の面が前記溝の底面に押し当てられることにより、前記スリットによって分断された部分同士が互いにずれて前記第１の面に段差が生じる。そして、これら互いにずれた部分同士の間に前記一方のケースの縁が圧入されるので、パッキンの前記縁に密着する接触面積を、スリットによって分断された部分同士をずらさない場合、及び、スリットが設けられていない従来のパッキンに比べて増加させることができる。よって、互いに組み付けられる一方のケース及び他方のケースの合わせ部の防水性を向上させつつ、前記一方のケース及び前記他方のケースの組み付け作業を容易にすることができるパッキンを提供することができる。
【００１４】
請求項３に記載された発明によれば、請求項１または請求項２に記載のパッキンが設けられているので、互いに組み付けられる一方のケース及び他方のケースの合わせ部の防水性を向上させつつ、前記一方のケース及び前記他方のケースの組み付け作業を容易にすることができる防水ケースを提供することができる。
【図面の簡単な説明】
【００１５】
【図１】本発明の第１の実施形態に係るパッキンを用いた防水ケースを示す斜視図である。
【図２】図１に示された防水ケースを構成する一方のケースを示す斜視図である。
【図３】図１に示された防水ケースを構成する他方のケース及びパッキンを示す斜視図である。
【図４】図３中のＡ−Ａ線に沿った断面図である。
【図５】図１に示された防水ケースの合わせ部の断面図であり、一方のケースの縁が他方のケースの溝に近付けられた状態を示す断面図である。
【図６】図１に示された防水ケースの合わせ部の断面図であり、図５に示された一方のケースの縁が他方のケースの溝に装着されたパッキンに押し当てられた状態を示す断面図である。
【図７】図１に示された防水ケースの合わせ部の断面図であり、図６に示された一方のケースの縁がパッキンのスリットに圧入されて、一方のケースと他方のケースとが組み付けられた状態を示す断面図である。
【図８】本発明の第２の実施形態に係るパッキンを用いた防水ケースの合わせ部の断面図である。
【図９】従来のパッキンを用いた防水ケースの合わせ部の断面図であり、一方のケースの縁が他方のケースの溝に近付けられた状態を示す断面図である。
【図１０】図９に示された防水ケースの合わせ部の断面図であり、図９に示された一方のケースの縁が他方のケースの溝に装着されたパッキンにめり込み、一方のケースと他方のケースとが組み付けられた状態を示す断面図である。
【発明を実施するための形態】
【００１６】
（第１の実施形態）
本発明の第１の実施形態に係るパッキンを用いた防水ケースを、図１〜図７を参照して説明する。
【００１７】
図１〜図７に示す防水ケース１は、自動車に搭載される電気接続箱１０を構成する。この防水ケース１には、互いに組み付けられるケース本体３（請求項中の一方のケース）及びアッパーカバー４（請求項中の他方のケース）と、これらケース本体３及びアッパーカバー４の合わせ部７を防水するためのパッキン６と、ケース本体３に組み付けられるロアカバー５と、が設けられている。
【００１８】
上記ケース本体３は、合成樹脂で構成され、周知の射出成型により形成されている。ケース本体３は、図２に示すように、複数の周壁３１により四角筒状に形成されている。このケース本体３の内側には、リレー２１やヒューズ２２等の電気部品が装着されたカセットブロック２が取り付けられる。また、上記電気接続箱１０は、防水ケース１と電気部品が装着されたカセットブロック２とにより構成されている。また、本発明における「一方のケースの縁」とは、ケース本体３の周壁３１の上端に位置する縁３１ａを意味する（図２を参照。）。
【００１９】
上記アッパーカバー４は、合成樹脂で構成され、周知の射出成型により形成されている。アッパーカバー４は、図１、図３に示すように、略四角形の板状の天井壁４１と、この天井壁４１の外縁から立設した複数の周壁４２と、この周壁４２の外表面から延設された第２の周壁４３と、により箱状に形成されている。また、前記第２の周壁４３は、図５などに示すように、周壁４２に連なり周壁４２と直交する方向に延びた水平部４３ａと、水平部４３ａに連なり周壁４２と平行に延びた平行部４３ｂと、により構成されている。
【００２０】
また、周壁４２と第２の周壁４３とは本発明における「他方のケースの溝」を構成している。この溝に符号４４を付す。前記溝４４は、アッパーカバー４の開口の周囲に環状に形成されている。また、水平部４３ａの内表面は本発明における「溝４４の底面」をなしている。この底面に符号４４ｂを付す。また、周壁４２の外表面のうち溝４４に面した部分を、本発明では、「溝４４の内側の側面」と呼び、符号４４ｃを付す。また、平行部４３ｂの内表面のうち溝４４に面した部分を、本発明では、「溝４４の外側の側面」と呼び、符号４４ａを付す。また、図５などに示す符号４４ｄは本発明における「溝４４の開口」を示している。
【００２１】
上記アッパーカバー４は、図１に示すように、ケース本体３の上側に位置する開口３ａを覆うようにケース本体３に組み付けられる。また、アッパーカバー４がケース本体３に組み付けられる際、図７に示すように、ケース本体３の縁３１ａがアッパーカバー４の溝４４に挿入される。また、アッパーカバー４の平行部４３ｂに設けられたロック部４５がケース本体３の周壁３１に設けられたロック受け部３２に係止することにより、アッパーカバー４とケース本体３とが固定される。
【００２２】
また、ケース本体３及びアッパーカバー４の「合わせ部７」とは、アッパーカバー４の周壁４２及び第２の周壁４３とケース本体３の周壁３１との重なり部分を意味している。
【００２３】
上記ロアカバー５は、合成樹脂で構成され、周知の射出成型により形成されている。ロアカバー５は、ケース本体３の下側に位置する開口を覆うようにケース本体３に組み付けられる。
【００２４】
図１〜図７中の矢印Ｘは、アッパーカバー４とケース本体３との組み付け方向、及び、ロアカバー５とケース本体３との組み付け方向を示している。
【００２５】
上記パッキン６は、ゴム、ポリウレタン等の弾性体により、図３に示すように、全体として環状に形成されている。パッキン６は、上述したアッパーカバー４の溝４４に装着される。このパッキン６には、溝４４の開口４４ｄ側に位置付けられる第１の面６１と、溝４４の底面４４ｂ側に位置付けられる第２の面６２と、環状のパッキン６の内側に位置し溝４４の内側の側面４４ｃに密着する内周面６３と、環状のパッキン６の外側に位置し溝４４の外側の側面４４ａに密着する外周面６４と、が設けられている。
【００２６】
また、溝４４の開口４４ｄ側に位置付けられる第１の面６１は、図３、図４に示すように、弾性変形していない状態で、環状のパッキン６の仮想中心軸Ｐと直交する平面となっている。この第１の面６１には、ケース本体３の縁３１ａが圧入されるスリット６０が設けられている。スリット６０は、パッキン６の全周に亘って設けられている。また、スリット６０は、前記仮想中心軸Ｐ方向に沿って第１の面６１から第２の面６２側に延びている。
【００２７】
また、溝４４の底面４４ｂ側に位置付けられる第２の面６２は、図３、図４に示すように、弾性変形していない状態で、第１の面６１に対して傾斜している。即ち、第２の面６２は、弾性変形していない状態で、環状のパッキン６の内側に位置する内周面６３から環状のパッキン６の外側に位置する外周面６４に向かうにしたがって第１の面６１に近付く方向に傾斜している。
【００２８】
このようなパッキン６は、図５に示すように、溝４４に装着される。図５に示すように、パッキン６が溝４４の奥まで押し込まれていない状態、即ちパッキン６が矢印Ｘ方向に圧縮されていない状態において、第２の面６２は、第１の面６１及び溝４４の底面４４ｂに対して傾斜している。さらに、パッキン６は、図６、図７に示すように、ケース本体３とアッパーカバー４とが組み付けられる際に溝４４に挿入される縁３１ａに押されて第２の面６２が溝４４の底面４４ｂに押し当てられることにより、スリット６０によって分断された部分６３ａ，６４ａ同士が矢印Ｘ方向に互いにずれて第１の面６１に段差が生じる。即ち、第２の面６２が圧縮されることによりスリット６０によって分断された部分６３ａが矢印Ｘ方向に伸びて第１の面６１に段差が生じる。そして、これら互いにずれた部分６３ａ，６４ａ同士の間に縁３１ａが圧入される。
【００２９】
このように防水ケース１は、ケース本体３とアッパーカバー４とが組み付けられる際、ケース本体３の縁３１ａがアッパーカバー４の溝４４に装着されたパッキン６のスリット６０に圧入されることにより、ケース本体３及びアッパーカバー４の合わせ部７が防水される。また、図７に示す状態のパッキン６には、縁３１ａに対して矢印で表す反発力が生じている。
【００３０】
このように、本発明では、パッキン６の第１の面６１にスリット６０が設けられているので、ケース本体３の縁３１ａが密着することによりパッキン６に生じる、縁３１ａをアッパーカバー４から離れる側に押し戻そうとする反発力、即ち弾性復元力、を、スリット６０が設けられていない従来のパッキンに比べて小さくすることができる。
【００３１】
また、本発明では、パッキン６の第２の面６２が、弾性変形していない状態で第１の面６１及び溝４４の底面４４ｂに対して傾斜しており、この第２の面６２が溝４４の底面４４ｂに押し当てられることにより、スリット６０によって分断された部分６３ａ，６４ａ同士が互いにずれて第１の面６１に段差が生じ、これら互いにずれた部分６３ａ，６４ａ同士の間に縁３１ａが圧入されるので、パッキン６の縁３１ａに密着する接触面積を、スリット６０によって分断された部分６３ａ，６４ａ同士をずらさない場合、及び、スリット６０が設けられていない従来のパッキンに比べて増加させることができる。
【００３２】
これらのことによって、本発明では、互いに組み付けられるケース本体３及びアッパーカバー４の合わせ部７の防水性を向上させつつ、ケース本体３及びアッパーカバー４の組み付け作業を容易にすることができるパッキン６及び防水ケース１を提供することができる。
【００３３】
なお、弾性変形していない状態で第１の面６１に段差が形成されているパッキンによっても、「縁３１ａに密着する接触面積を多く確保して防水性を高める」という本発明と同じ効果は得られるが、そのようなパッキンは、成形金型が複雑な形状になり、製造が難しい上にコスト高になってしまう。この点において、本発明のパッキン６は、第２の面６２が圧縮されることにより第１の面６１に段差を生じさせる構成としているので、容易に製造でき、安価で提供することができる。
【００３４】
また、上述した第１の実施形態では、ケース本体３とアッパーカバー４とが組み付けられる際に、パッキン６が縁３１ａに押されることによって、第２の面６２が溝４４の底面４４ｂに押し当てられると説明したが、本発明では、パッキン６が、ケース本体３とアッパーカバー４との組み付け前に、第２の面６２が溝４４の底面４４ｂに押し当てられた状態とされていても良い。
【００３５】
（第２の実施形態）
本発明の第２の実施形態に係るパッキンを用いた防水ケースを、図８を参照して説明する。また、図８において、第１の実施形態と同一構成部分には同一符号を付して説明を省略する。
【００３６】
図８に示す防水ケース１’には、互いに組み付けられるケース本体３及びアッパーカバー４と、これらケース本体３及びアッパーカバー４の合わせ部７を防水するための、溝４４に装着されるパッキン６’と、が設けられている。
【００３７】
上記パッキン６’には、溝４４の開口４４ｄ側に位置付けられる第１の面６１と、溝４４の底面４４ｂ側に位置付けられる第２の面６２’と、溝４４の内側の側面４４ｃに密着する内周面６３と、溝４４の外側の側面４４ａに密着する外周面６４と、が設けられている。前記第１の面６１には、スリット６０が設けられている。前記第２の面６２’は、弾性変形していない状態で、外周面６４から内周面６３に向かうにしたがって第１の面６１に近付く方向に傾斜している。
【００３８】
上記パッキン６’は、ケース本体３とアッパーカバー４とが組み付けられる際に溝４４に挿入される縁３１ａに押されて第２の面６２’が溝４４の底面４４ｂに押し当てられることにより、スリット６０によって分断された部分６３ａ，６４ａ同士が矢印Ｘ方向に互いにずれて第１の面６１に段差が生じる。即ち、第２の面６２’が圧縮されることによりスリット６０によって分断された部分６４ａが矢印Ｘ方向に伸びて第１の面６１に段差が生じる。そして、これら互いにずれた部分６３ａ，６４ａ同士の間に縁３１ａが圧入される。
【００３９】
このような防水ケース１’によれば、第１の実施形態で説明した防水ケース１と同様の効果が得られる。
【００４０】
また、上述した防水ケース１，１’は、電気接続箱１０に限らず、あらゆる電子機器、装置の筺体として用いることができる。
【００４１】
また、上述した防水ケース１，１’は、アッパーカバー４側にパッキン６，６’が装着される溝４４が設けられていたが、本発明では、ケース本体３側に前記溝が設けられていても良い。
【００４２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
１，１’  防水ケース
３  ケース本体（一方のケース）
４  アッパーカバー（他方のケース）
６，６’  パッキン
７  合わせ部
３１ａ  縁
４４  溝
４４ｂ  底面
４４ｄ  開口
６０  スリット
６１  第１の面
６２，６２’  第２の面
【図１】
0005467883.tif 000002
【図２】
0005467883.tif 000003
【図３】
0005467883.tif 000004
【図４】
0005467883.tif 000005
【図５】
0005467883.tif 000006
【図６】
0005467883.tif 000007
【図７】
0005467883.tif 000008
【図８】
0005467883.tif 000009
【図９】
0005467883.tif 000010
【図１０】
0005467883.tif 000011